(57)【要約】【課題】客先において簡便に多くの宝石をディスプレイする。【解決手段】宝石３を収納する複数の凹部４を形成したケース本体１と、透明部を有する蓋体２とで宝石用ケースを構成する。各凹部４に宝石３を収納することによって、宝石３を客先に持ち運ぶ際の宝石用ケースの数を大幅に減らすことができるので、非常に利便性が高い。また、多くの種類の宝石３を、同じケース本体１の中に並べて収納したことにより、顧客が宝石３を選択する際に、商品選択の自由度が向上する。このため、顧客の購買意欲が促進され、販売実績の向上が期待できる。【選択図】図１
0003151848.tif 000002
【実用新案登録請求の範囲】
【請求項１】
宝石（３）を収納する複数の凹部（４）を形成したケース本体（１）と、前記ケース本体（１）に設ける透明部を有する蓋体（２）とから構成される宝石用ケース。
【請求項２】
前記凹部（４）の内面に、この凹部（４）の底側ほど狭くなるテーパ（１４）を形成した請求項１に記載の宝石用ケース。
【請求項３】
前記凹部（４）の開口幅が、全ての凹部（４）で同一でないようにした請求項１又は２のいずれかに記載の宝石用ケース。
【請求項４】
前記凹部（４）の底に、この凹部（４）の深さ方向に延びる穴（１５）を形成した請求項１乃至３のいずれか一つに記載の宝石用ケース。
【請求項５】
前記穴（１５）が、ケース本体（１）の裏面側に貫通する貫通穴である請求項４に記載の宝石用ケース。
【考案の詳細な説明】
【技術分野】
【０００１】
この考案は、宝石を並べて収納し、その収納状態のまま顧客等にディスプレイする際に用いる宝石用ケースに関する。
【背景技術】
【０００２】
宝石用ケースは、その中に宝石を収納して店舗のショーケース内で、又はその収納状態のまま客先に持参して商品の説明とともにディスプレイする際に用いるものである。
【０００３】
この宝石用ケースとして、例えば、下記特許文献１に示すものが開示されている。この宝石用ケースは、ケース箱体に円錐状あるいはテーパ状に穴を一つ形成して、この穴にダイヤモンド等の宝石を収納する。そして、このケース箱体に蓋体を設け、前記穴に収納した宝石が脱落しないようにしている。
【先行技術文献】
【特許文献】
【０００４】
【特許文献１】登録実用新案第３０５４３０７号公報
【考案の概要】
【考案が解決しようとする課題】
【０００５】
例えばネイルアートでは、各指に１個乃至数個の宝石を装着するため、その装着個数がかなり多くなることがある。特に、客先に宝石を持参して商品説明等を行う際は、顧客の商品選択の幅を広げるために、宝石のサイズ、種類、グレード等、できるだけ多くの商品バリエーションを取り揃えておくのが好ましく、持参する宝石の総数が非常に多くなることがよくある。この場合、前記特許文献１に示したように、一つのケースに一つの宝石を収納する構成とすると、ケースの数が非常に多くなり、持ち運びに支障をきたすことが多い。
【０００６】
そこで、この考案は、客先において簡便に多くの宝石をディスプレイすることを課題とする。
【課題を解決するための手段】
【０００７】
上記の課題を解決するため、この考案は、宝石を収納する複数の凹部を形成したケース本体と、前記ケース本体に設ける透明部を有する蓋体とから宝石用ケースを構成した。
各凹部に複数の宝石を一度に収納することによって、持参するケースの数を大きく減らすことができるため、持ち運びの際の利便性が非常に高い。例えば、各ケースに１０個の宝石を収納できるようにすれば、持参するケースの数を十分の一とすることができる。
【０００８】
また、一度に多くの宝石を比較検討することができ、好みの宝石を容易に選択することができる点において、顧客にとってもメリットがある。ケース本体に形成する凹部の数や配置は適宜決定することができ、例えば横一列に配置したり、複数列に配置したりすることができる。あるいは、曲線に沿って凹部を配置して、デザイン面での視覚的効果の向上を図ることもできる。
【０００９】
また、前記構成においては、前記凹部の内面に、この凹部の底側ほど狭くなるテーパを形成することができる。
例えば、ダイヤモンドでは、テーブル面等からの入射光をその内面で効率的に反射して美しい輝きを得るために、ブリリアントカット等の種々のカットが施されている。そして、カットを施した宝石の底部は、テーパが形成されたパビリオンとなっている。このパビリオンをテーパが形成された前記凹部に収納することによって、テーブル面が上に向いた安定した姿勢を維持することができる。このため、このテーブル面等からの入射光が効率よく宝石の外に出射されて、その輝きが一段と向上する。
【００１０】
この凹部に形成するテーパのテーパ角は、この凹部に収納する宝石のカットの形状（パビリオンの形状）に合わせるのが最も好ましいが、凹部のテーパによって宝石が大きく傾くのを防止し得るのであれば、両テーパの傾斜が若干異なっていても特に支障はない。
【００１１】
また、前記各構成においては、前記凹部の開口幅が、全ての凹部で同一でないようにすることもできる。
このようにすることで、カラット数の異なる宝石を一つのケース内に同時に収納することができる。このため、顧客がそれらを互いに比較するのが容易となり、好みの宝石をスムーズに選択することができる。
【００１２】
さらに、前記各構成においては、前記凹部の底に、この凹部の深さ方向に延びる穴を形成することもできる。
上述したパビリオンの下端には、キューレット（微小な平面カット部）が形成されていて、パビリオンとケース等が接触した際に、このパビリオンの下端が破損するのを極力防止するようにしている。それでも、このパビリオンの下端は宝石全体としてみると尖った形状であることには変わりなく、ケースに収納した際等に破損する恐れがある。そこで、前記凹部の底に前記穴を形成すると、キューレットが凹部の内面に当接することなくこの穴内に入り込むため、その破損の恐れが小さい。この破損防止効果は、ケース本体を金属材料等の硬質材料で形成した場合に特に有効である。
【００１３】
また、この穴をケース本体の裏面側に貫通する貫通穴とすることもできる。このようにすることにより、前記凹部に宝石が嵌まり込んで取れなくなった際に、前記貫通穴の裏面側から針等の突起物を挿し込んで、宝石を押し出すようにして取り出すことができる。
【考案の効果】
【００１４】
この考案によると、一つの宝石ケースに複数の宝石を収納するようにしたので、客先等での出先において、多くの種類の宝石を簡便にかつ効果的にディスプレイすることができる。このため、顧客による商品選択の自由度が向上することによって購入意欲が促進され、販売実績の向上が期待できる。
【図面の簡単な説明】
【００１５】
【図１】この考案に係る宝石用ケースの一実施形態を示し、（ａ）は正面図、（ｂ）は（ａ）のＡ−Ａ断面図、（ｃ）は（ａ）のＢ−Ｂ断面図
【図２】同実施形態の分解斜視図
【図３】この考案に係る宝石用ケースの他の実施形態を示し、（ａ）は正面図、（ｂ）は（ａ）のＣ−Ｃ断面図、（ｃ）は（ａ）のＤ−Ｄ断面図、（ｄ）は裏面図
【図４】同実施形態の要部側面断面図
【図５】同実施形態の分解斜視図
【図６】この考案に係る宝石用ケースのさらに他の実施形態を示し、（ａ）は正面図、（ｂ）は側面図、（ｃ）は底面図
【図７】同実施形態の要部を示し、（ａ）は部分断面図、（ｂ）は（ａ）のＦ−Ｆ断面図
【図８】図６（ａ）のＥ−Ｅ断面図
【図９】同実施形態の分解斜視図
【考案を実施するための形態】
【００１６】
この考案に係る宝石用ケースの一実施形態を図１に示す。この宝石用ケースは、基本構成として、ケース本体１と蓋体２とからなる。
【００１７】
ケース本体１は不透明樹脂材からなり、この樹脂材をプレス加工して、宝石３を収納する１０個の凹部４と、販売者のロゴマーク等を記載したロゴ板５を収納するロゴ板収納部６と、宝石３のカラット数その他の品質を表示する表示板７を収納する表示板収納部８とを一体成形する。なお、凹部４の内面は球面の一部をなしている。
【００１８】
ケース本体１の素材は、もちろん上記に限定されるものではなく、収納する宝石３の種類（宝石の色調、価格帯等）との相性（ケース本体１自体の高級感）や、顧客の好み等を総合的に勘案して決めることができる。また、凹部４の形状は、本実施形態のように球面の一部とする以外に、テーパ形状としてもよい。
【００１９】
ロゴ板５及び表示板７で販売者や商品の特性を明示することで、顧客が購入の際に安心感を抱くため、基本的にこれらを採用するのが好ましいが、対面販売で十分に商品説明等を行う場合には、これらを設けない構成とすることも考えられる。この場合は、ロゴ板収納部６や表示板収納部８の位置にも凹部４を形成して、より多くの宝石３を収納するようにしてもよい。
【００２０】
また、蓋体２は長方形状の透明樹脂材からなり、その３辺が同一方向に約１８０度折り込まれて折り込み片９をなしている。
【００２１】
この宝石用ケースへの宝石３の収納は、図２に示すように、まずケース本体１の凹部４に宝石３を収納し、さらに、ロゴ板収納部６と表示板収納部８に、ロゴ板５と表示板７をそれぞれ収納する。そして、蓋体２の折り込み片９を形成しなかった辺側から、折り込み片９に挟み込まれるようにケース本体１をスライドさせて挿し込む。
【００２２】
このとき、宝石３のパビリオン１０が凹部４の内面によって支持されるとともに、蓋体２によって宝石３の脱落が防止されて、そのテーブル面１１が上を向いた安定した姿勢が維持される。このため、宝石３への入射光が効率よく出射されて、その輝きを一層向上することができる。また、ケース本体１に複数の宝石３を収納し得るようにしたので、顧客がこの複数の宝石３を容易に比較しつつ購入を検討することができる。
【００２３】
この考案に係る宝石用ケースの他の実施形態を図３に示す。この宝石用ケースも、図１に示したものと同様に、基本構成として、ケース本体１と蓋体２とからなる。
【００２４】
ケース本体１は板状のアルミニウム母材を切削加工したものであって、その長尺方向の全長に亘る平坦部１２と、宝石３を収納する１０個の凹部４と、平坦部１２の長尺方向に沿う２本の案内溝１３、１３とが形成されている。
【００２５】
１０個の凹部４は左から右に向かうほど次第にその直径が大きくなるように形成されていて、異なるサイズの宝石３を順に並べて収納できるようにしている。また、図４に示すように、この凹部４の内面には、この凹部４の奥側に向かうほど狭くなるテーパ１４が形成されている。このテーパ１４のテーパ角は、収納する宝石３のパビリオン１０の角度にほぼ合うように形成されている。このため、凹部４に収納した宝石３ががたつきにくく、テーブル面１１を上にした安定した姿勢で維持される。
【００２６】
さらに、凹部４の底には、本体ケース１の裏面側に至る貫通穴１５が形成されている。この貫通穴１５を形成することで、パビリオン１０の下端（キューレット１６）が凹部４の内面に接触しないので、キューレット１６の破損が防止できる。この貫通穴１５は必須のものではないが、特に本実施形態のようにケース本体１に金属材料等の硬質素材を用いる際は、キューレット１６の破損が生じやすいため、形成するのが好ましい。
また、この貫通穴１５を形成しておくと、凹部４に宝石３が嵌まり込んで取れなくなった際に、貫通穴１５の裏面側から針等の突起物を挿し込んで、宝石３を押し出すようにして取り出すことができ利便性が高い。
【００２７】
各凹部４の近くには、それぞれの凹部４の直径のサイズ表示１７がレーザ加工によりなされていて、収納した宝石３のサイズが一目で分かるようになっている。また、平坦部１２には、販売者のロゴマーク１８がレーザ加工により刻み込まれている。
【００２８】
また、蓋体２は無色透明のアクリル板からなり、その横幅がケース本体１に形成した２本の案内溝１３、１３の間隔に合うように成形されている。
【００２９】
この宝石用ケースへの宝石３の収納は、図５に示すように、まずケース本体１の各凹部４に宝石３を収納し、蓋体２を案内溝１３内をスライドさせてケース本体１に設ける。さらに、ボルト１９でケース本体１と蓋体２を固定して、宝石用ケースの持ち運びの際に蓋体２が外れて宝石３が脱落しないようにする。
【００３０】
この考案に係る宝石用ケースのさらに他の実施形態を図６に示す。この宝石用ケースも、図１に示したものと同様に、基本構成として、ケース本体１と蓋体２とからなる。
【００３１】
ケース本体１は板状のアルミニウム母材を切削加工したものであって、その長尺方向の全長に亘る平坦部１２と、宝石３を収納する１０個の凹部４と、平坦部１２の長尺方向に沿う２本の案内溝１３、１３とが形成されている。
【００３２】
また、この凹部４の底には、本体ケース１の裏面側に至る貫通穴１５が形成されるとともに、本体ケース１の裏面側には、各貫通穴１５に跨る窪み部２０が形成されている。この窪み部２０を形成することで、この貫通穴１５の長さを短くすることができる。すなわち、貫通穴１５の裏面側から針等の突起物を挿し込んで宝石３を押し出す際に、窪み部２０の深さ分だけ短めの突起物で宝石３の押し出しを行うことができ、その作業性を高め得る。
【００３３】
この案内溝１３の端部近傍の拡大図を図７に示して説明する。この端部近傍には、ケース本体１の側面から案内溝１３内まで貫通するねじ孔２１が形成され、このねじ孔２１に鋼球２２、スプリング２３を収納するとともに、スプリング２３を介して、六角ねじ２４のねじ込みにより鋼球２２を案内溝１３側に付勢するようにしたストッパー機構２５が設けられている。
【００３４】
また、蓋体２は無色透明のアクリル板からなり、この蓋体２の側面には、ケース本体１に形成した２本の案内溝１３に嵌る段差部２６が形成されている。そして、この段差部２６の両端部近傍には切欠き部２７（２７ａ、２７ｂ）が形成されている。
【００３５】
図８及び９に示すように、ケース本体１に宝石３を収納し、案内溝１３に蓋体２を設け、この蓋体２を閉じるようにスライドすると、ストッパー機構２５のスプリング２３の付勢力によって一方の切欠き部２７ａに鋼球２２が嵌まり込み、蓋体２がロックされた状態となる。このため、宝石用ケースの持ち運びの際に、蓋体２が不用意にスライドして開いた状態となり、宝石３がケース本体１から脱落するのを防止することができる。
【００３６】
また、蓋体２が閉じた状態から、この蓋体２に対し、前記付勢力に抗して開放方向に力を加えると、一方の切欠き部２７ａへの鋼球２２の係止が外れる。すると、この蓋体２を開放方向に容易にスライドすることができる。この蓋体２がほぼ開放した状態までスライドすると、他方の切欠き部２７ｂへ鋼球２２が嵌まり込み、蓋体２が再びロックされた状態となる。このため、蓋体２を開放状態として宝石３を取り出す際に、蓋体２が不用意に更に開放方向にスライドして、ケース本体１から抜け落ちるのを防止することができる。
【００３７】
上記の各実施形態は、あくまでも一例であって、当然ながら、ケース本体１等の形状はこれらに限定されるものではない。例えば、ケース本体１を手の形とし、指の先端付近に凹部４を形成して宝石３を配置し、ネイルアート等により宝石３を指先に装着した状態を容易にイメージできるように工夫することもできる。
【符号の説明】
【００３８】
１  ケース本体
２  蓋体
３  宝石
４  凹部
５  ロゴ板
６  ロゴ板収納部
７  表示板
８  表示板収納部
９  折り込み片
１０  パビリオン
１１  テーブル面
１２  平坦部
１３  案内溝
１４  テーパ
１５  穴（貫通穴）
１６  キューレット
１７  サイズ表示
１８  ロゴマーク
１９  ボルト
２０  窪み部
２１  ねじ孔
２２  鋼球
２３  スプリング
２４  六角ねじ
２５  ストッパー機構
２６  段差部
２７（２７ａ、２７ｂ）  切欠き部
【図１】
0003151848.tif 000003
【図２】
0003151848.tif 000004
【図３】
0003151848.tif 000005
【図４】
0003151848.tif 000006
【図５】
0003151848.tif 000007
【図６】
0003151848.tif 000008
【図７】
0003151848.tif 000009
【図８】
0003151848.tif 000010
【図９】
0003151848.tif 000011